(57)【特許請求の範囲】
【請求項１】
アンド回路と、レーザドライバと、レーザを具備し、２つのデジタルベースバンド信号を同時に変調する送信回路であって、
第２のデジタルベースバンド信号で角度変調した角度変調信号を前記アンド回路において第１のデジタルベースバンド信号で振幅変調し、該振幅変調信号を前記レーザドライバに入力して所定レベルに調整し、前記レーザドライバからの出力信号で前記レーザを駆動して前記振幅変調信号を光信号に変換することを特徴とする送信回路。
【請求項２】
ミキサと、レーザドライバと、レーザを具備し、２つのデジタルベースバンド信号を同時に変調する送信回路であって、
第２のデジタルベースバンド信号で角度変調した角度変調信号を前記ミキサにおいて第１のデジタルベースバンド信号で振幅変調し、該振幅変調信号を前記レーザドライバに入力して所定レベルに調整し、前記レーザドライバからの出力信号で前記レーザを駆動して前記振幅変調信号を光信号に変換することを特徴とする送信回路。
【請求項３】
フォトダイオードと、電気アンプと、同期検波復調回路と、包絡線検波復調回路を具備し、２つのデジタルベースバンド信号を同時に復調する波形整形回路であって、
前記請求項１又は２に記載の送信回路からの光信号を前記フォトダイオードで電気信号に変換し、該変換された電気信号を前記電気アンプにおいて信号処理に充分なレベルにまで増幅し、前記電気アンプの出力信号を２分岐し、その一方を前記同期検波復調回路に入力して前記振幅変調信号から前記第２のデジタルベースバンド信号を復調し、他方を前記包絡線検波復調回路に入力して前記振幅変調信号から前記第１のデジタルベースバンド信号を復調することを特徴とする波形整形回路。
【請求項４】
フォトダイオードと、電気アンプと、遅延検波復調回路と、包絡線検波復調回路を具備し、２つのデジタルベースバンド信号を同時に復調する波形整形回路であって、
前記請求項１又は２に記載の送信回路からの光信号を前記フォトダイオードで電気信号に変換し、該変換された電気信号を前記電気アンプにおいて信号処理に充分なレベルにまで増幅し、前記電気アンプの出力信号を２分岐し、その一方を前記遅延検波復調回路に入力して前記振幅変調信号から前記第２のデジタルベースバンド信号を復調し、他方を前記包絡線検波復調回路に入力して前記振幅変調信号から前記第１のデジタルベースバンド信号を復調することを特徴とする波形整形回路。
【請求項５】
フォトダイオードと、電気アンプと、同期検波復調回路と、二乗検波復調回路を具備し、２つのデジタルベースバンド信号を同時に復調する波形整形回路であって、
前記請求項１又は２に記載の送信回路からの光信号を前記フォトダイオードで電気信号に変換し、該変換された電気信号を前記電気アンプにおいて信号処理に充分なレベルにまで増幅し、前記電気アンプの出力信号を２分岐し、その一方を前記同期検波復調回路に入力して前記振幅変調信号から前記第２のデジタルベースバンド信号を復調し、他方を前記二乗検波復調回路に入力して前記振幅変調信号から前記第１のデジタルベースバンド信号を復調することを特徴とする波形整形回路。
【請求項６】
フォトダイオードと、電気アンプと、遅延検波復調回路と、二乗検波復調回路を具備し、２つのデジタルベースバンド信号を同時に復調する波形整形回路であって、
前記請求項１又は２に記載の送信回路からの光信号を前記フォトダイオードで電気信号に変換し、該変換された電気信号を前記電気アンプにおいて信号処理に充分なレベルにまで増幅し、前記電気アンプの出力信号を２分岐し、その一方を前記遅延検波復調回路に入力して前記振幅変調信号から前記第２のデジタルベースバンド信号を復調し、他方を前記二乗検波復調回路に入力して前記振幅変調信号から前記第１のデジタルベースバンド信号を復調することを特徴とする波形整形回路。
【請求項７】
フォトダイオードと、電気アンプと、同期検波復調回路と、ローパスフィルタ回路を具備し、２つのデジタルベースバンド信号を同時に復調する波形整形回路であって、
前記請求項１又は２に記載の送信回路からの光信号を前記フォトダイオードで電気信号に変換し、該変換された電気信号を前記電気アンプにおいて信号処理に充分なレベルにまで増幅し、前記電気アンプの出力信号を２分岐し、その一方を前記同期検波復調回路に入力して前記振幅変調信号から前記第２のデジタルベースバンド信号を復調し、他方を前記ローパスフィルタ回路に入力して前記振幅変調信号から前記第１のデジタルベースバンド信号を復調することを特徴とする波形整形回路。
【請求項８】
フォトダイオードと、電気アンプと、遅延検波復調回路と、ローパスフィルタ回路を具備し２つのデジタルベースバンド信号を同時に復調する波形整形回路であって、
前記請求項１又は２に記載の送信回路からの光信号を前記フォトダイオードで電気信号に変換し、該変換された電気信号を前記電気アンプにおいて信号処理に充分なレベルにまで増幅し、前記電気アンプの出力信号を２分岐し、その一方を前記遅延検波復調回路に入力して前記振幅変調信号から前記第２のデジタルベースバンド信号を復調し、他方を前記ローパスフィルタ回路に入力して前記振幅変調信号から前記第１のデジタルベースバンド信号を復調することを特徴とする波形整形回路。
【発明の詳細な説明】
【０００１】
【発明の属する技術分野】
本発明は、光ヘッド・エンド回路に使用される送信側の送信回路および受信側の波形整形回路に関するものである。
【０００２】
【従来の技術】
図１１に光ヘッド・エンド回路の従来の送信回路の構成を示す。入力ライン１から第１のデジタルベースバンド信号Ａが入力され、入力ライン２から第２のデジタルベースバンド信号を変調信号とする角度変調（ＰＳＫ又はＦＳＫ）信号Ｂが入力される。両信号Ａ，Ｂは加算器３において多重化され、ノード４に多重化信号Ｃ０として出力される。このノード４から線形性に優れたレーザドライバ５に入力された多重化信号Ｃ０は、レーザ７の線形動作領域に適した信号パワーに調整されてノード６に出力され、レーザ７において電気信号から光信号Ｄとなる。この光信号Ｄは、光ファイバ８に入力し、この光ファイバ８の反対側の対向する受信装置に入力される。
【０００３】
【発明が解決しようとする課題】
ところが、経済性に重点をおいたとき、レーザドライバ５として、図１２に示すように、線形性の優れない（デジタル信号用の）レーザドライバ５１を使用することが行われる。しかし、この場合は、レーザドライバ５１において、多重信号Ｃ０の中の角度変調信号Ｂの振幅が抑圧され、それに対応する光信号Ｄ０がレーザ７から出力するため、光ファイバ８を経由した受信側において、角度変調信号Ｂの変調信号である第２のデジタルベースバンド信号を復調することができなくなってしまうという問題がある。
【０００４】
本発明の目的は、線形性に優れないデジタル信号用のレーザドライバを用いてレーザを駆動する場合であっても、角度変調信号成分が抑圧されることがないようにし、デジタル信号用のレーザドライバを使用可能とし、経済性に優れた送信回路およびその出力信号を復調する波形整形回路を提供することである。
【０００５】
【課題を解決するための手段】
請求項１に係る発明は、アンド回路と、レーザドライバと、レーザを具備し、２つのデジタルベースバンド信号を同時に変調する送信回路であって、第２のデジタルベースバンド信号で角度変調した角度変調信号を前記アンド回路において第１のデジタルベースバンド信号で振幅変調し、該振幅変調信号を前記レーザドライバに入力して所定レベルに調整し、前記レーザドライバからの出力信号で前記レーザを駆動して前記振幅変調信号を光信号に変換することを特徴とする送信回路とした。
【０００６】
請求項２に係る発明は、ミキサと、レーザドライバと、レーザを具備し、２つのデジタルベースバンド信号を同時に変調する送信回路であって、第２のデジタルベースバンド信号で角度変調した角度変調信号を前記ミキサにおいて第１のデジタルベースバンド信号で振幅変調し、該振幅変調信号を前記レーザドライバに入力して所定レベルに調整し、前記レーザドライバからの出力信号で前記レーザを駆動して前記振幅変調信号を光信号に変換することを特徴とする送信回路とした。
【０００７】
請求項３に係る発明は、フォトダイオードと、電気アンプと、同期検波復調回路と、包絡線検波復調回路を具備し、２つのデジタルベースバンド信号を同時に復調する波形整形回路であって、前記請求項１又は２に記載の送信回路からの光信号を前記フォトダイオードで電気信号に変換し、該変換された電気信号を前記電気アンプにおいて信号処理に充分なレベルにまで増幅し、前記電気アンプの出力信号を２分岐し、その一方を前記同期検波復調回路に入力して前記振幅変調信号から前記第２のデジタルベースバンド信号を復調し、他方を前記包絡線検波復調回路に入力して前記振幅変調信号から前記第１のデジタルベースバンド信号を復調することを特徴とする波形整形回路とした。
【０００８】
請求項４に係る発明は、フォトダイオードと、電気アンプと、遅延検波復調回路と、包絡線検波復調回路を具備し、２つのデジタルベースバンド信号を同時に復調する波形整形回路であって、前記請求項１又は２に記載の送信回路からの光信号を前記フォトダイオードで電気信号に変換し、該変換された電気信号を前記電気アンプにおいて信号処理に充分なレベルにまで増幅し、前記電気アンプの出力信号を２分岐し、その一方を前記遅延検波復調回路に入力して前記振幅変調信号から前記第２のデジタルベースバンド信号を復調し、他方を前記包絡線検波復調回路に入力して前記振幅変調信号から前記第１のデジタルベースバンド信号を復調することを特徴とする波形整形回路とした。
【０００９】
請求項に係る発明は、フォトダイオードと、電気アンプと、同期検波復調回路と、二乗検波復調回路を具備し、２つのデジタルベースバンド信号を同時に復調する波形整形回路であって、前記請求項１又は２に記載の送信回路からの光信号を前記フォトダイオードで電気信号に変換し、該変換された電気信号を前記電気アンプにおいて信号処理に充分なレベルにまで増幅し、前記電気アンプの出力信号を２分岐し、その一方を前記同期検波復調回路に入力して前記振幅変調信号から前記第２のデジタルベースバンド信号を復調し、他方を前記二乗検波復調回路に入力して前記振幅変調信号から前記第１のデジタルベースバンド信号を復調することを特徴とする波形整形回路とした。
【００１０】
請求項６に係る発明は、フォトダイオードと、電気アンプと、遅延検波復調回路と、二乗検波復調回路を具備し、２つのデジタルベースバンド信号を同時に復調する波形整形回路であって、前記請求項１又は２に記載の送信回路からの光信号を前記フォトダイオードで電気信号に変換し、該変換された電気信号を前記電気アンプにおいて信号処理に充分なレベルにまで増幅し、前記電気アンプの出力信号を２分岐し、その一方を前記遅延検波復調回路に入力して前記振幅変調信号から前記第２のデジタルベースバンド信号を復調し、他方を前記二乗検波復調回路に入力して前記振幅変調信号から前記第１のデジタルベースバンド信号を復調することを特徴とする波形整形回路とした。
【００１１】
請求項７に係る発明は、フォトダイオードと、電気アンプと、同期検波復調回路と、ローパスフィルタ回路を具備し、２つのデジタルベースバンド信号を同時に復調する波形整形回路であって、前記請求項１又は２に記載の送信回路からの光信号を前記フォトダイオードで電気信号に変換し、該変換された電気信号を前記電気アンプにおいて信号処理に充分なレベルにまで増幅し、前記電気アンプの出力信号を２分岐し、その一方を前記同期検波復調回路に入力して前記振幅変調信号から前記第２のデジタルベースバンド信号を復調し、他方を前記ローパスフィルタ回路に入力して前記振幅変調信号から前記第１のデジタルベースバンド信号を復調することを特徴とする波形整形回路とした。
【００１２】
請求項８に係る発明は、フォトダイオードと、電気アンプと、遅延検波復調回路と、ローパスフィルタ回路を具備し２つのデジタルベースバンド信号を同時に復調する波形整形回路であって、前記請求項１又は２に記載の送信回路からの光信号を前記フォトダイオードで電気信号に変換し、該変換された電気信号を前記電気アンプにおいて信号処理に充分なレベルにまで増幅し、前記電気アンプの出力信号を２分岐し、その一方を前記遅延検波復調回路に入力して前記振幅変調信号から前記第２のデジタルベースバンド信号を復調し、他方を前記ローパスフィルタ回路に入力して前記振幅変調信号から前記第１のデジタルベースバンド信号を復調することを特徴とする波形整形回路とした。
【００１３】
【発明の実施の形態】
本発明では、第２のデジタルベースバンド信号により角度変調（ＰＳＫ又はＦＳＫ）された角度変調信号を、第１のデジタルベースバンド信号で振幅変調（ＡＳＫ）する。また、復調ではその振幅変調信号を包絡線検波復調回路、二乗検波復調回路、ローパスフィルタ回路の等により復調することで第１のベースバンド信号を復調し、また、その振幅変調信号を同期検波復調回路又は遅延検波復調回路により復調することで、第２のベースバンド信号を復調する。以上により、線形性に優れないデジタル信号用のレーザドライバやレーザ等を用いて光信号を生成する場合でも、角度変調信号成分が抑圧されないようにする。これにより、デジタル信号用の部品を使用できるので、経済的に優れる利点がある。
【００１４】
［第１の実施形態］
図１は請求項１に対応する第１の実施形態の送信回路のブロック図である。本送信回路は、アンド回路３１と、デジタル信号用のレーザドライバ５１と、レーザ７を具備する。
【００１５】
アンド回路３１は、信号ライン１から入力する第１のベースバンド信号Ａによって、信号ライン２から入力する第２のベースバンド信号（第１のベースバンド信号に比べて極めて低いビットレート）で角度変調（ＰＳＫ又はＦＳＫ）された角度変調信号Ｂを振幅変調し、ノード４に振幅変調信号Ｃ１として出力する。このノード４の振幅変調信号Ｃ１は、レーザドライバ５１に入力されて所定の信号パワーに調整され、ノード６に出力されて、レーザ７において電気信号から光信号Ｄ１に変換される。この光信号Ｄ１は、光ファイバ８に入力し、この光ファイバ８の反対側の対向する受信装置に入力される。
【００１６】
ＳＤ１はこの光信号Ｄ１のスペクトルを示す特性でありｓ１１，ｓ１２，ｓ１３は第１のデジタルベースバンド信号Ａの成分のスペクトル、ｓ１４は角度変調信号Ｂの成分のスペクトルである。
【００１７】
［第２の実施形態］
図２は請求項２に対応する第２の実施形態の送信回路のブロック図である。本送信回路は、ミキサ３２と、デジタル信号用のレーザドライバ５１と、レーザ７を具備する。
【００１８】
ミキサ３２は、信号ライン１から入力する第１のベースバンド信号Ａによって、信号ライン２から入力する第２のベースバンド信号（第１のベースバンド信号に比べて極めて低いビットレート）で角度変調（ＰＳＫ又はＦＳＫ）された角度変調信号Ｂを振幅変調し、ノード４に振幅変調信号Ｃ２として出力する。このノード４の振幅変調信号Ｃ２は、レーザドライバ５１に入力されて所定の信号パワーに調整され、ノード６に出力されて、レーザ７において電気信号から光信号Ｄ２又はＤ３に変換される。この光信号Ｄ２又はＤ３は、光ファイバ８に入力し、この光ファイバ８の反対側の対向する受信装置に入力される。
【００１９】
ＳＤ２はこの光信号Ｄ２のスペクトルを示す特性でありｓ２１，ｓ２２，ｓ２３は第１のデジタルベースバンド信号Ａの成分のスペクトル、ｓ２４は角度変調信号Ｂの成分のスペクトルである。また、ＳＤ３はこの光信号Ｄ３のスペクトルを示す特性でありｓ３２，ｓ３３は第１のデジタルベースバンド信号Ａの成分のスペクトル、ｓ３４は角度変調信号Ｂの成分のスペクトルである。光信号Ｄ３には直流成分（ＤＣ）がないため、光信号Ｄ２におけるスペクトルｓ２１に相当するスペクトルはない。
【００２０】
上記２値の光信号Ｄ２は、レーザドライバ５１の動作点を図９に示すように入出力特性の立上り基点に設定することで得られる。また、３値の光信号Ｄ３は、レーザドライバ５１の動作点を図１０に示すように入出力特性の中間点に設定することで得られる。
【００２１】
［第３の実施形態］
図３は請求項３に対応する第３の実施形態の波形整形回路（復調回路）のブロック図である。本波形整形回路は、フォトダイオード９と、電気アンプ１１と、同期検波復調回路１４と、包絡線検波復調回路１７を具備する。
【００２２】
光ファイバ８よりの光信号Ｄ１、Ｄ２又はＤ３は、フォトダイオード９に入力して電気信号に変換され、ノード１０を経由して電気アンプ１１に入力される。電気アンプ１１において適度な振幅に増幅された入力信号ａは、ノード１２に出力され、２つに分岐される。分岐された一方の信号は、ノード１３から同期検波復調回路１４に入力され、ここで角度変調信号Ｂの搬送波と同じ周波数で所定の位相の信号により同期検波処理を受けて信号ｂ１となり、さらに波形整形、リタイミング処理を受けて角度変調信号Ｂの変調信号である第２のデジタルベースバンド信号ｃとして復調され、ノード１５に出力される。分岐された他方の信号は、ノード１６を介して包絡線検波復調回路１７に入力され、ここで整流や平滑等の包絡線検波処理による波形整形を受け、リタイミング処理を受けて、振幅変調信号Ｃ１又はＣ２の変調信号である第１のデジタルベースバンド信号ｄ（Ａ）として復調され、ノード１８に出力される。
【００２３】
ここで、第２のデジタルベースバンド信号ｃは、第１のデジタルベースバンド信号ｄ（Ａ）のビットレートに比べて極めて低いビットレートに設定されているので、第１のデジタルベースバンド信号ｄ（Ａ）による振幅変調の影響を受けることはなく、適正に復調される。
【００２４】
［第４の実施形態］
図４は請求項４に対応する第４の実施形態の波形整形回路（復調回路）のブロック図である。本波形整形回路は、フォトダイオード９と、電気アンプ１１と、遅延検波復調回路１９と、包絡線検波復調回路１７を具備する。
【００２５】
光ファイバ８よりの光信号Ｄ１、Ｄ２又はＤ３は、フォトダイオード９に入力して電気信号に変換され、ノード１０を経由して電気アンプ１１に入力される。電気アンプ１１において適度な振幅に増幅された入力信号ａは、ノード１２に出力され、２つに分岐される。分岐された一方の信号は、ノード１３から遅延検波復調回路１９に入力され、ここで１ビット前の信号との比較による遅延検波処理を受けて信号ｂ２となり、さらに波形整形、リタイミング処理を受けて角度変調信号Ｂの変調信号である第２のデジタルベースバンド信号ｃとして復調され、ノード１５に出力される。分岐された他方の信号は、ノード１６を介して包絡線検波復調回路１７に入力され、ここで整流や平滑等の包絡線検波処理による波形整形を受け、リタイミング処理を受けて、振幅変調信号Ｃ１又はＣ２の変調信号である第１のデジタルベースバンド信号ｄ（Ａ）として復調され、ノード１８に出力される。
【００２６】
ここで、第２のデジタルベースバンド信号ｃは、第１のデジタルベースバンド信号ｄ（Ａ）のビットレートに比べて極めて低いビットレートに設定されているので、第１のデジタルベースバンド信号ｄ（Ａ）による振幅変調の影響を受けることはなく、適正に復調される。
【００２７】
［第５の実施形態］
図５は請求項５に対応する第５の実施形態の波形整形回路（復調回路）のブロック図である。本波形整形回路は、フォトダイオード９と、電気アンプ１１と、同期検波復調回路１４と、二乗検波復調回路２０を具備する。
【００２８】
光ファイバ８よりの光信号Ｄ１、Ｄ２又はＤ３は、フォトダイオード９に入力して電気信号に変換され、ノード１０を経由して電気アンプ１１に入力される。電気アンプ１１において適度な振幅に増幅された入力信号ａは、ノード１２に出力され、２つに分岐される。分岐された一方の信号は、ノード１３から同期検波復調回路１４に入力され、ここで角度変調信号Ｂの搬送波と同じ周波数で所定の位相の信号により同期検波処理を受けて信号ｂ１となり、さらに波形整形、リタイミング処理を受けて角度変調信号Ｂの変調信号である第２のデジタルベースバンド信号ｃとして復調され、ノード１５に出力される。分岐された他方の信号は、ノード１６を介して二乗検波復調回路２０に入力され、ここでダイオードやトランジスタ等の電圧−電流特性の非直線性を利用した二乗検波処理による波形整形を受け、リタイミング処理を受けて、振幅変調信号Ｃ１又はＣ２の変調信号である第１のデジタルベースバンド信号ｄ（Ａ）として復調され、ノード１８に出力される。
【００２９】
ここで、第２のデジタルベースバンド信号ｃは、第１のデジタルベースバンド信号ｄ（Ａ）のビットレートに比べて極めて低いビットレートに設定されているので、第１のデジタルベースバンド信号ｄ（Ａ）による振幅変調の影響を受けることはなく、適正に復調される。
【００３０】
［第６の実施形態］
図６は請求項６に対応する第６の実施形態の波形整形回路（復調回路）のブロック図である。本波形整形回路は、フォトダイオード９と、電気アンプ１１と、遅延検波復調回路１９と、二乗検波復調回路２０を具備する。
【００３１】
光ファイバ８よりの光信号Ｄ１、Ｄ２又はＤ３は、フォトダイオード９に入力して電気信号に変換され、ノード１０を経由して電気アンプ１１に入力される。電気アンプ１１において適度な振幅に増幅された入力信号ａは、ノード１２に出力され、２つに分岐される。分岐された一方の信号は、ノード１３から遅延検波復調回路１９に入力され、ここで１ビット前の信号との比較による遅延検波処理を受けて信号ｂ２となり、さらに波形整形、リタイミング処理を受けて角度変調信号Ｂの変調信号である第２のデジタルベースバンド信号ｃとして復調され、ノード１５に出力される。分岐された他方の信号は、ノード１６を介して二乗検波復調回路２０に入力され、ここでダイオードやトランジスタ等の電圧−電流特性の非直線性を利用した二乗検波処理による波形整形を受け、リタイミング処理を受けて、振幅変調信号Ｃ１又はＣ２の変調信号である第１のデジタルベースバンド信号ｄ（Ａ）として復調され、ノード１８に出力される。
【００３２】
ここで、第２のデジタルベースバンド信号ｃは、第１のデジタルベースバンド信号ｄ（Ａ）のビットレートに比べて極めて低いビットレートに設定されているので、第１のデジタルベースバンド信号ｄ（Ａ）による振幅変調の影響を受けることはなく、適正に復調される。
【００３３】
［第７の実施形態］
図７は請求項７に対応する第７の実施形態の波形整形回路（復調回路）の回路図である。本波形整形回路は、フォトダイオード９と、電気アンプ１１と、同期検波復調回路１４と、ローパスフィルタ回路（ＬＰＦ）２１を具備する。
【００３４】
光ファイバ８よりの光信号Ｄ１、Ｄ２又はＤ３は、フォトダイオード９に入力して電気信号に変換され、ノード１０を経由して電気アンプ１１に入力される。電気アンプ１１において適度な振幅に増幅された入力信号ａは、ノード１２に出力され、２つに分岐される。分岐された一方の信号は、ノード１３から同期検波復調回路１４に入力され、ここで角度変調信号Ｂの搬送波と同じ周波数で所定の位相の信号により同期検波処理を受けて信号ｂ１となり、さらに波形整形、リタイミング処理を受けて角度変調信号Ｂの変調信号である第２のデジタルベースバンド信号ｃとして復調され、ノード１５に出力される。分岐された他方の信号は、ノード１６を介してローパスフィルタ回路２１に入力され、ここで第１のデジタルベースバンド信号が抽出され、リタイミング処理を受けて、振幅変調信号Ｃ１又はＣ２の変調信号である第１のデジタルベースバンド信号ｄ（Ａ）として復調され、ノード１８に出力される。
【００３５】
ここで、第２のデジタルベースバンド信号ｃは、第１のデジタルベースバンド信号ｄ（Ａ）のビットレートに比べて極めて低いビットレートに設定されているので、第１のデジタルベースバンド信号ｄ（Ａ）による振幅変調の影響を受けることはなく、適正に復調される。
【００３６】
［第８の実施形態］
図８は請求項８に対応する第８の実施形態の波形整形回路（復調回路）のブロック図である。本波形整形回路は、フォトダイオード９と、電気アンプ１１と、遅延検波復調回路１９と、ローパスフィルタ回路（ＬＰＦ）２１を具備する。
【００３７】
光ファイバ８よりの光信号Ｄ１、Ｄ２又はＤ３は、フォトダイオード９に入力して電気信号に変換され、ノード１０を経由して電気アンプ１１に入力される。電気アンプ１１において適度な振幅に増幅された入力信号ａは、ノード１２に出力され、２つに分岐される。分岐された一方の信号は、ノード１３から遅延検波復調回路１９に入力され、ここで１ビット前の信号との比較による遅延検波処理を受けて信号ｂ２となり、さらに波形整形、リタイミング処理を受けて角度変調信号Ｂの変調信号である第２のデジタルベースバンド信号ｃとして復調され、ノード１５に出力される。分岐された他方の信号は、ノード１６を介してローパスフィルタ回路２１に入力され、ここで第１のデジタルベースバンド信号が抽出され、リタイミング処理を受けて、振幅変調信号Ｃ１又はＣ２の変調信号である第１のデジタルベースバンド信号ｄ（Ａ）として復調され、ノード１８に出力される。
【００３８】
ここで、第２のデジタルベースバンド信号ｃは、第１のデジタルベースバンド信号ｄ（Ａ）のビットレートに比べて極めて低いビットレートに設定されているので、第１のデジタルベースバンド信号ｄ（Ａ）による振幅変調の影響を受けることはなく、適正に復調される。
【００３９】
【発明の効果】
以上から本発明によれば、送信回路において、第２のデジタルベースバンド信号で角度変調された角度変調信号を、第１のデジタルベースバンド信号で振幅変調するので、レーザドライバ、レーザ、電気アンプ等として、デジタル信号用の部品を使用することが可能となり、当該送信回路や復調側の波形整形回路を経済的に構成することができ、また、２個のデジタルベースバンド信号を同時に正確に変調／復調することができる。
【図面の簡単な説明】
【図１】  本発明の第１の実施形態の送信回路のブロック図である。
【図２】  本発明の第２の実施形態の送信回路のブロック図である。
【図３】  本発明の第３の実施形態の波形整形回路のブロック図である。
【図４】  本発明の第４の実施形態の波形整形回路のブロック図である。
【図５】  本発明の第５の実施形態の波形整形回路のブロック図である。
【図６】  本発明の第６の実施形態の波形整形回路のブロック図である。
【図７】  本発明の第７の実施形態の波形整形回路のブロック図である。
【図８】  本発明の第８の実施形態の波形整形回路のブロック図である。
【図９】  図２の送信回路のレーザドライバ５１の光信号Ｄ２を得るための動作特性図である。
【図１０】  図２の送信回路のレーザドライバ５１の光信号Ｄ３を得るための動作特性図である。
【図１１】  従来の送信回路のブロック図である。
【図１２】  従来の送信回路のブロック図である。
【符号の説明】
１，２：入力ライン、３：加算器、３１：アンド回路、３２：ミキサ、４：ノード、５，５１：レーザドライバ、６：ノード、７：レーザ、８：光ファイバ
９：フォトダイオード、１０：ノード、１１：電気アンプ、１２，１３：ノード、１４：同期検波復調回路、１５，１６：ノード、１７：包絡線検波復調回路、１８：ノード、１９：遅延検波復調回路、２０：二乗検波復調回路、２１：ローパスフィルタ回路。
【図１】
0003835598.tif 000002
【図２】
0003835598.tif 000003
【図３】
0003835598.tif 000004
【図４】
0003835598.tif 000005
【図５】
0003835598.tif 000006
【図６】
0003835598.tif 000007
【図７】
0003835598.tif 000008
【図８】
0003835598.tif 000009
【図９】
0003835598.tif 000010
【図１０】
0003835598.tif 000011
【図１１】
0003835598.tif 000012
【図１２】
0003835598.tif 000013